【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
外部装置にアクセスしてデータを取得するデータ取得手段と、前記データ取得手段により取得されたデータをレイアウトするレイアウト手段とを含む複数の処理手段と、
前記複数の処理手段の夫々による処理の進行状況に基づいて、前記複数の処理手段による全体の処理に対する現在の処理の進行率を表示手段に表示させる制御手段とを有することを特徴とする進行状況表示装置。
【請求項２】
前記複数の処理手段による全体の処理に対する前記各処理手段の処理の割合情報を保持する割合情報保持手段を更に有し、
前記制御手段は、前記割合情報保持手段に保持される前記割合情報と前記複数の処理手段の前記進行状況とに基づいて、現在の処理の進行率を前記表示手段に表示させることを特徴とする請求項１に記載の進行状況表示装置。
【請求項３】
外部装置にアクセスしてデータを取得するデータ取得手段と、前記データ取得手段により取得されたデータをレイアウトするレイアウト手段とを含む複数の処理手段と、
現在の処理時間と前記各処理手段による過去の処理に要した時間とに基づいて、前記複数の処理手段による全体の処理に対する現在の処理の進行率を表示手段に表示させる制御手段とを有することを特徴とする進行状況表示装置。
【請求項４】
前記制御手段は、前記進行率と併せて、前記進行率に該当する処理を示す情報を前記表示手段に表示させることを特徴とする請求項１乃至３の何れか１項に記載の進行状況表示装置。
【請求項５】
進行状況表示装置による進行状況表示方法であって、
外部装置にアクセスしてデータを取得するデータ取得処理と、前記データ取得処理により取得されたデータをレイアウトするレイアウト処理とを含む複数の処理ステップと、
前記複数の処理ステップの夫々による処理の進行状況に基づいて、前記複数の処理ステップによる全体の処理に対する現在の処理の進行率を表示手段に表示させる制御ステップとを含むことを特徴とする進行状況表示方法。
【請求項６】
進行状況表示装置による進行状況表示方法であって、
外部装置にアクセスしてデータを取得するデータ取得処理と、前記データ取得処理により取得されたデータをレイアウトするレイアウト処理とを含む複数の処理ステップと、
現在の処理時間と前記各処理ステップによる過去の処理に要した時間とに基づいて、前記複数の処理ステップによる全体の処理に対する現在の処理の進行率を表示手段に表示させる制御ステップとを有することを特徴とする進行状況表示方法。
【請求項７】
前記制御ステップは、前記進行率と併せて、前記進行率に該当する処理を示す情報を前記表示手段に表示させることを特徴とする請求項５又は６に記載の進行状況表示方法。
【請求項８】
外部装置にアクセスしてデータを取得するデータ取得処理と、前記データ取得処理により取得されたデータをレイアウトするレイアウト処理とを含む複数の処理手順と、
前記複数の処理手順の夫々による処理の進行状況に基づいて、前記複数の処理手順による全体の処理に対する現在の処理の進行率を表示手段に表示させる制御手順とをコンピュータに実行させるためのプログラム。
【請求項９】
外部装置にアクセスしてデータを取得するデータ取得処理と、前記データ取得処理により取得されたデータをレイアウトするレイアウト処理とを含む複数の処理手順と、
現在の処理時間と前記各処理手順による過去の処理に要した時間とに基づいて、前記複数の処理手順による全体の処理に対する現在の処理の進行率を表示手段に表示させる制御手順とをコンピュータに実行させるためのプログラム。
【手続補正２】
【補正対象書類名】明細書
【補正対象項目名】発明の名称
【補正方法】変更
【補正の内容】
【発明の名称】進行状況表示装置及び進行状況表示方法
【手続補正３】
【補正対象書類名】明細書
【補正対象項目名】０００１
【補正方法】変更
【補正の内容】
【０００１】
本発明は、複数の処理を実行する際における処理の進行状況を把握可能とする進行状況表示装置及び進行状況表示方法に関するものである。
【手続補正４】
【補正対象書類名】明細書
【補正対象項目名】０００８
【補正方法】変更
【補正の内容】
【０００８】
本発明の進行状況表示装置の第１の態様は、外部装置にアクセスしてデータを取得するデータ取得手段と、前記データ取得手段により取得されたデータをレイアウトするレイアウト手段とを含む複数の処理手段と、前記複数の処理手段の夫々による処理の進行状況に基づいて、前記複数の処理手段による全体の処理に対する現在の処理の進行率を表示手段に表示させる制御手段とを有することを特徴とする。
本発明の進行状況表示装置の第２の態様は、外部装置にアクセスしてデータを取得するデータ取得手段と、前記データ取得手段により取得されたデータをレイアウトするレイアウト手段とを含む複数の処理手段と、現在の処理時間と前記各処理手段による過去の処理に要した時間とに基づいて、前記複数の処理手段による全体の処理に対する現在の処理の進行率を表示手段に表示させる制御手段とを有することを特徴とする。
本発明の進行状況表示方法の第１の態様は、進行状況表示装置による進行状況表示方法であって、外部装置にアクセスしてデータを取得するデータ取得処理と、前記データ取得処理により取得されたデータをレイアウトするレイアウト処理とを含む複数の処理ステップと、前記複数の処理ステップの夫々による処理の進行状況に基づいて、前記複数の処理ステップによる全体の処理に対する現在の処理の進行率を表示手段に表示させる制御ステップとを含むことを特徴とする。
本発明の進行状況表示方法の第２の態様は、進行状況表示装置による進行状況表示方法であって、外部装置にアクセスしてデータを取得するデータ取得処理と、前記データ取得処理により取得されたデータをレイアウトするレイアウト処理とを含む複数の処理ステップと、現在の処理時間と前記各処理ステップによる過去の処理に要した時間とに基づいて、前記複数の処理ステップによる全体の処理に対する現在の処理の進行率を表示手段に表示させる制御ステップとを有することを特徴とする。
本発明のプログラムの第１の態様は、外部装置にアクセスしてデータを取得するデータ取得処理と、前記データ取得処理により取得されたデータをレイアウトするレイアウト処理とを含む複数の処理手順と、前記複数の処理手順の夫々による処理の進行状況に基づいて、前記複数の処理手順による全体の処理に対する現在の処理の進行率を表示手段に表示させる制御手順とをコンピュータに実行させることを特徴とする。
本発明のプログラムの第２の態様は、外部装置にアクセスしてデータを取得するデータ取得処理と、前記データ取得処理により取得されたデータをレイアウトするレイアウト処理とを含む複数の処理手順と、現在の処理時間と前記各処理手順による過去の処理に要した時間とに基づいて、前記複数の処理手順による全体の処理に対する現在の処理の進行率を表示手段に表示させる制御手順とをコンピュータに実行させることを特徴とする。
【手続補正５】
【補正対象書類名】明細書
【補正対象項目名】０００９
【補正方法】変更
【補正の内容】
【０００９】
本発明においては、複数の処理手段による全体の処理に対する現在の処理の進行率を表示させるように構成している。従って、本発明によれば、複数種類の処理が含まれる処理を実行する際、全体の処理に対する現在の処理の進行率を容易に把握することが可能となる。
【手続補正６】
【補正対象書類名】明細書
【補正対象項目名】００１５
【補正方法】変更
【補正の内容】
【００１５】
７はジョブ実行部６から指示を与えられえるプリントジョブである。８はジョブ実行部６から指示を与えられえるスキャンジョブである。９はジョブ実行部６から指示を与えられえるコピージョブである。１０はジョブ実行部６から指示を与えられ進行状況表示システム１のフォルダにデータを保存するジョブである。
【手続補正７】
【補正対象書類名】明細書
【補正対象項目名】００３７
【補正方法】変更
【補正の内容】
【００３７】
２０は進行状況表示部１８の進行状況作成部であり、進行情報取得部１９から渡された情報を基に現在の進行率を割り出し、その情報を進行状況表示部２１に伝える。また、進行情報取得部１９から取得したデータを基に、各処理にかかった時間、全処理の合計処理時間を履歴情報データベース２２に格納する。